(57)【要約】【課題】  収容する液体内容物を注ぎ易く、且つ最後まで容易に注ぐことができるようにするとともに、口栓に直接口を付けて飲み易くし、併せて優れた意匠性を発揮できる口栓付液体用紙容器を得る。【解決手段】  上部を開口する有底筒状に形成された紙容器本体１の開口部２に口栓３を備えた口栓付液体用紙容器であって、紙容器本体１には、開口端２ａを底辺とする三角形８ａ，８ｂを、その底辺７の両角部７ａ，７ｂ同士を合わせ重ねるようにして筒壁５を折り畳んだ折り畳み部９を放射状に外方へ突出するように形成し、口栓３は、開口部２内に挿入される筒状挿入部３７を有し、筒状挿入部３７の外周に、折り畳み部９内へ挿入される板状突片３８を形成し、紙容器本体１の開口部２と口栓３の筒状挿入部３７とを、および紙容器本体１の折り畳み部９と口栓３の板状突片３８とを溶着により固定した。【選択図】    図８
2018070196.tif 000002
【特許請求の範囲】
【請求項１】
紙基材の表裏両面の最外層に熱可塑性樹脂層が積層されている紙容器素材で上部を開口する有底筒状に形成された紙容器本体の開口部に口栓を備えた口栓付液体用紙容器であって、前記紙容器本体には、筒部の開口端を底辺とする三角形を、その底辺の両角部同士を合わせ重ねるようにして筒壁を折り畳んだ折り畳み部が開口部の周方向に間隔を空けて放射状に外方へ突出するように形成されており、前記口栓は、前記紙容器本体の折り畳み部が形成された前記開口部内に挿入される筒状挿入部を有し、前記筒状挿入部の外周に、前記折り畳み部内へ挿入される板状突片が形成されており、前記紙容器本体の前記開口部と前記口栓の筒状挿入部とが、および前記紙容器本体の折り畳み部と前記口栓の板状突片とが溶着により固定されていることを特徴とする口栓付液体用紙容器。
【請求項２】
前記筒壁を折り畳んで形成された前記折り畳み部は、前記筒部の開口端を底辺とする二等辺三角形の両斜辺を谷折りし、底辺の中央を通る垂直線を山折りして形成されていることを特徴とする請求項１に記載の口栓付液体用紙容器。
【請求項３】
前記口栓の板状突片にはその上端縁に、前記紙容器本体の開口部の開口端となる前記折り畳み部の端部に当接し、前記折り畳み部の端部に溶着される鍔状部が設けられていることを特徴とする請求項１または２に記載の口栓付液体用紙容器。
【発明の詳細な説明】
【技術分野】
【０００１】
本発明は、牛乳やジュース等の飲料、その他の液体内容物を収容する口栓付液体用紙容器に関する。
【背景技術】
【０００２】
従来、牛乳やジュース等の飲料、その他の液体内容物を収容する口栓付液体用紙容器として、板紙基材の表裏両面に熱可塑性樹脂を積層した紙容器材料より有底の胴部とその上を閉塞する頂部とで構成される、例えばゲーブルトップ型やブリック型に代表される紙容器本体が形成され、前記頂部の平面部に樹脂製の口栓が、該口栓のフランジ部を該頂部の平面部表面に液密に固定して設けられている口栓付液体用紙容器がある（例えば特許文献１，２参照。）。
【０００３】
このような口栓付液体用紙容器は、紙容器を切ったり破いたり、または穴を開けたりすることなく、口栓を開栓することにより収容した液体内容物を取り出すことができる。
口栓付液体用紙容器に収容した液体内容物が牛乳やジュース等の飲料である場合、開栓した口栓から飲料をコップなどに注いで移し替えて飲用するといったことが一般的であるが、口栓に口を付け紙容器から飲料を直接飲用するといったこともある。
【先行技術文献】
【特許文献】
【０００４】
【特許文献１】特開２００９−７０１７号公報
【特許文献２】特開２０１４−２２７１８９号公報
【発明の概要】
【発明が解決しようとする課題】
【０００５】
しかしながら、特許文献１，２に記載されている様な口栓付液体用紙容器は、口栓が設けられている頂部は傾斜している平面部或いは水平な平面部となっているため、例えば、液体内容物が牛乳やジュース等の飲料である場合、口栓の高さが低いと開栓した口栓から飲料をコップに注ぐ際、コップが紙容器の頂部と胴部の角部に当たり注ぎ難い。そのためコップを口栓から離した位置に置き、コップに飲料を注ぐといったことが行われているが、コップが口栓から離れているため注意しないと零してしまうおそれがあるといった問題があった。
【０００６】
また、収容されている飲料を最後まで注ぎ出し難く、紙容器内に残ってしまい無駄にしてしまうといった問題があった。また、口栓に口を付け紙容器から飲料を直接飲用する場合も、口栓に口を付けたとき鼻やあごが紙容器の頂部と胴部の角部に当たり、飲みにくいといった問題があった。
【０００７】
このような問題点を解決する手段として、口栓の高さを高くすることが考えられるが、口栓の高さを高くすると口栓付液体用紙容器の搬送等の障害になり、またコストアップの要因にもなるといった問題がある。
【０００８】
本発明者は、上記問題を解決するために、口栓付液体用紙容器をボトル状にすることに着目し、研究を重ねた結果、本発明をするに到った。
【０００９】
本発明の目的は、収容する液体内容物を注ぎ易く、且つ最後まで容易に注ぐことができるようにするとともに、口栓に直接口を付けて飲み易くし、併せて優れた意匠性を発揮できる口栓付液体用紙容器を提供することにある。
【課題を解決するための手段】
【００１０】
上記の目的を達成するために、請求項１に記載の発明は、紙基材の表裏両面の最外層に熱可塑性樹脂層が積層されている紙容器素材で上部を開口する有底筒状に形成された紙容器本体の開口部に口栓を備えた口栓付液体用紙容器であって、前記紙容器本体には、筒部の開口端を底辺とする三角形を、その底辺の両角部同士を合わせ重ねるようにして筒壁を折り畳んだ折り畳み部が開口部の周方向に間隔を空けて放射状に外方へ突出するように形成されており、前記口栓は、前記紙容器本体の折り畳み部が形成された前記開口部内に挿入される筒状挿入部を有し、前記筒状挿入部の外周に、前記折り畳み部内へ挿入される板状突片が形成されており、前記紙容器本体の前記開口部と前記口栓の筒状挿入部とが、および前記紙容器本体の折り畳み部と前記口栓の板状突片とが溶着により固定されていることを特徴とする。
【００１１】
請求項１に記載の発明によれば、前記紙容器本体は、前記筒部の開口端を底辺とする三角形を、その底辺の両角部同士を合わせ重ねるようにして前記筒壁を折り畳んだので、前記紙容器本体を、前記折り畳み部の三角形の頂部から前記口栓を備える前記開口部方向に向かって内径が円錐状に縮径するボトル状に容易に形成することができる。
このことにより、開栓した前記口栓から飲料内容物をコップに注ぐ際、コップを前記口栓に接近させて注ぐことができるので注ぎ易く、また、最後まで容易に注ぎ出し切ることができ、また、前記口栓に直接口をつけて液体内容物を飲む際にも、鼻や顎が紙容器にぶつかるといったことがなく、容易に液体内容物を飲むことができる。
【００１２】
また、前記口栓は、前記紙容器本体の前記折り畳み部が形成された前記開口部内に挿入される筒状挿入部を有し、前記筒状挿入部の外周に、前記折り畳み部内へ挿入される板状突片が形成されており、前記紙容器本体の前記開口部と前記口栓の前記筒状挿入部とが、および前記紙容器本体の前記折り畳み部と前記口栓の前記板状突片とが溶着により固定されているので、前記紙容器本体と前記口栓のシール性が高く、前記紙容器本体と前記口栓との間からの液漏れを効果的に防止することができる。
【００１３】
また、前記紙容器本体は、前記筒部の開口端を底辺とする三角形を重ねるようにして前記筒壁を折り畳んだ前記折り畳み部が前記開口部の周方向に間隔を空けて放射状に外方へ突出するように形成されているので、放射状に外方へ突出する前記折り畳み部が独特の美観を発揮し、意匠性の高い口栓付液体用紙容器を得ることができる。
【００１４】
また、前記筒部の開口端を底辺とする三角形の底辺の長さや頂部の位置などを調整することにより、前記筒部が前記開口部方向に向かって円錐状に縮径する度合いを容易に調整することができ、口栓付液体用紙容器の形状を容易に望んだ形状とすることができる。
【００１５】
請求項２に記載の発明は、請求項１に記載の、前記筒壁を折り畳んで形成された前記折り畳み部は、前記筒部の開口端を底辺とする二等辺三角形の両斜辺を谷折りし、底辺の中央を通る垂直線を山折りして形成されていることを特徴とする。
【００１６】
請求項２に記載の発明によれば、前記筒壁を折り畳んで形成された折り畳み部は、前記筒部の開口端を底辺とする二等辺三角形の両斜辺を谷折りし、底辺の中央を通る垂直線を山折りして形成されているので、前記折り畳み部を前記容器本体から確実に且つ容易に放射方向へ起立するように外方へ突出させることができ、この放射方向へ起立するように外方へ突出する前記折り畳み部が、安定したリズム感を醸し出して独特の美観を発揮し、意匠性の一層高い口栓付液体用紙容器を得ることができる。
【００１７】
請求項３に記載の発明は、請求項１または２に記載の、前記口栓の板状突片にはその上端縁に、前記紙容器本体の開口部の開口端となる前記折り畳み部の端部に当接し、前記折り畳み部の端部に溶着される鍔状部が設けられていることを特徴とする。
【００１８】
請求項３に記載の発明によれば、前記口栓の前記板状突片にはその上端縁に、前記紙容器本体に形成された前記折り畳み部の端部に当接し、前記折り畳み部の端部に溶着される鍔状部が設けられているので、仮に前記紙容器本体の前記折り畳み部と前記口栓の前記板状突片との間から前記紙容器本体に収容されている液体内容物が滲んできたような場合であっても、前記紙容器本体に形成された前記折り畳み部の端部に溶着されている前記口栓の前記鍔状部により、前記紙容器本体に収容されている液体内容物が前記紙容器本体から外に漏れることを確実に防ぐことができる。
【発明の効果】
【００１９】
本発明に係る口栓付液体用紙容器によれば、その形状をボトル状とすることができ、開栓した口栓から液体内容物をコップに注ぐ際、コップを口栓に接近させて注ぐことができるので注ぎ易く、また、口栓に直接口をつけて液体内容物を飲む際にも、鼻や顎が紙容器にぶつかるといったことがなく、容易に液体内容物を飲むことができる。
【００２０】
また、紙容器本体は、開口端を底辺とする三角形を、その底辺の両角部同士を合わせ重ねるようにして折り畳んだ折り畳み部が開口部の周方向に間隔を空けて放射状に外方へ突出するように形成されているので、放射状に外方へ突出する前記折り畳み部が独特の美観を発揮し、意匠性の高い口栓付液体用紙容器を得ることができる。
【図面の簡単な説明】
【００２１】
【図１】本発明に係る口栓付液体用紙容器の実施の形態の第１例を示す斜視図である。
【図２】図１に示す紙容器本体の斜視図である。
【図３】図１に示す紙容器本体の開口部の拡大斜視図である。
【図４】図１に示す紙容器本体の展開図である。
【図５】図１に示す口栓の斜視図である。
【図６】図５に示す口栓の断面図である。
【図７】口栓の他例を示す斜視図である。
【図８】図１に示す紙容器本体の開口部に口栓を取り付ける手順を示す説明図である。
【図９】本発明に係る口栓付液体用紙容器の実施の形態の第２例を示す斜視図である。
【図１０】図９に示す紙容器本体の筒部の展開図である。
【発明を実施するための形態】
【００２２】
以下、本発明に係る口栓付液体用紙容器の実施の形態の一例を、図面を参照して詳細に説明する。
図１乃至図８は本発明に係る口栓付液体用紙容器の実施の形態の第１例を示し、図１は本例の口栓付液体用紙容器を示す斜視図、図２は図１に示す紙容器本体の斜視図、図３は図１に示す紙容器本体の開口部の拡大斜視図、図４は図１に示す紙容器本体の展開図、図５は図１に示す口栓の斜視図、図６は図５に示す口栓の断面図、図７は口栓の他例を示す斜視図、図８は図１に示す紙容器本体の開口部に口栓を取り付ける手順を示す説明図である。
【００２３】
第１例の口栓付液体用紙容器は、紙基材の表裏両面の最外層に熱可塑性樹脂層が積層されている紙容器素材で上部を開口する有底筒状に形成された紙容器本体１の開口部２に口栓３を備えている。
紙容器本体１には、筒壁５に筒部４の開口端４ａを底辺７とする複数の三角形８（８ａ，８ｂ）を周方向に等間隔を空けて設け、各三角形８（８ａ，８ｂ）の底辺７の両角部７ａ，７ｂ同士を合わせ重ねるようにして筒壁５を折り畳んだ折り畳み部９が開口部２の周方向に間隔を空けて放射状に外方へ突出するように形成されている。
【００２４】
更に詳細には、第１例の紙容器本体１は、図４に示される展開構造を有するカートンブランクス１０によって組み立てられる。
カートンブランクス１０は、筒部４となる筒部縦折線１１，１２，１３を介して４つの筒壁パネル１４，１５，１６，１７を備え、筒壁パネル１７にシール縦折線１８を介して縦方向シールパネル１９が連設されている。筒壁パネル１４，１５，１６，１７の上端２０は、組み立てられた筒部４の開口端４ａとなる。
【００２５】
筒壁パネル１４，１５，１６，１７には、組み立てられた筒部４の開口端４ａ、即ち、筒壁パネル１４，１５，１６，１７の上端２０を底辺７とし、筒部縦折線１１，１２，１３の所定の位置を頂部２１とする三角形８ａが設けられており、また、筒壁パネル１７と縦方向シールパネル１９には、筒壁パネル１７の上端２０を底辺７とし、シール縦折線１８の所定の位置を頂部２１とする三角形８ａが設けられている。これらの三角形８ａの２本の斜辺２２ａ，２２ｂは折線により形成されている。三角形８ａにあっては、本例では二等辺三角形となっている。
【００２６】
更に、筒壁パネル１４，１５，１６，１７には、三角形８ａの間に位置して、筒壁パネル１４，１５，１６，１７の上端２０を底辺７とする三角形８ｂが設けられている。これらの三角形８ｂの２本の斜辺２２ａ，２２ｂは折線により形成されている。また、筒壁パネル１４，１５，１６，１７には、三角形８ｂの底辺７の中央を通り頂部２１に繋がる垂直線２３が折線により形成されている。
各三角形８ａ，８ｂは全て同じ形状、同じ大きさとなっており、筒壁パネル１４，１５，１６，１７の上端２０に沿って等間隔を空けて配置されている。
【００２７】
筒壁パネル１４，１６の下端には、底部横折線２４，２５を介して互いに対向する一対の外側底部パネル２６，２７が連設され、筒壁パネル１５，１７の下端には、底部横折線２８，２９を介して互いに対向する一対の内側底部パネル３０，３１が連設されている。
【００２８】
このような展開構造を有するカートンブランクス１０による第１例の紙容器本体１の組み立ては、先ず、筒部縦折線１１，１２，１３及びシール縦折線１８を山折りして縦方向シールパネル１９を筒壁パネル１４の縦縁にシールすることにより、四角の筒部４を形成する。
【００２９】
次に、筒部４における筒壁パネル１５，１７の下端に連設されている一対の内側底部パネル３０，３１の外側に、筒壁パネル１４，１６の下端に連設されている一対の外側底部パネル２６，２７が折り畳まれてシールされて密封されることによって底部３２を形成する。
【００３０】
次に、各三角形８ａ，８ｂの両斜辺２２ａ，２２ｂを谷折りし、三角形８ｂの底辺７の中央を通る垂直線２３を山折りし、底辺７の両角部７ａ，７ｂ同士を合わせ重ねるようにして折り畳み部９を形成する。
このようにして、筒壁５を折り畳んだ折り畳み部９が容器本体１の開口部２の周方向に間隔を空けて放射状に外方へ突出するように形成された紙容器本体１が組み立てられる（図２参照。）。
【００３１】
紙容器本体１の開口部２に備えられる口栓３にあっては、合成樹脂製のスパウト３３とキャップ３４から構成されている。スパウト３３は外周面にねじ部３５を有し、キャップ３４は内周面にねじ部３５に螺合するねじ部３６を有しており、スパウト３３の外周にキャップ３４が螺着している。
【００３２】
スパウト３３は、紙容器本体１の開口部２内に挿入される筒状挿入部３７を有しており、筒状挿入部３７の外周には、紙容器本体１の開口部２の周方向に形成されている折り畳み部９内へ挿入される板状突片３８が放射状に形成されている。板状突片３８の突出長は、折り畳み部９の深さに対応する長さであることが好ましい。
【００３３】
また、口栓３の板状突片３８にはその上端縁に、紙容器本体１の開口部２の開口端２ａとなる折り畳み部９の端部９ａ、即ち、折り畳まれた三角形８ａ，８ｂの底辺７に当接し、折り畳み部９の端部９ａに溶着される鍔状部３９が設けられている。更に、各板状突片３８の間における筒状挿入部３７の外周には、紙容器本体１の開口部２の各折り畳み部９の端部９ａ間における開口端２ａに当接する突状部４０が設けられている。
本例では、鍔状部３９は、折り畳み部９の端部９ａより長く且つ板状突片３８の幅より広幅の板状となっており、また突状部４０は、少なくとも紙容器本体１の開口部２の開口端２ａを越える突出幅に形成されている。
【００３４】
筒状挿入部３７の外周に設けられた鍔状部３９は、図７に示すように、全ての板状突片３８の上端縁に渡るフランジ状としてもよい。鍔状部３９をフランジ状とすることにより突状部４０も兼ねることができる。
【００３５】
このように構成された口栓３は紙容器本体１の開口部２へ次のようにして取り付けられる。
先ず、口栓３の筒状挿入部３７を紙容器本体１の開口部２内へ挿入し（図８参照。）、口栓３の板状突片３８の上端縁に設けられている鍔状部３９を紙容器本体１の開口部２の開口端２ａとなる折り畳み部９の端部９ａに当接させるとともに、突状部４０を紙容器本体１の開口部２の各折り畳み部９の端部９ａ間における開口端２ａに当接させる。
【００３６】
この状態から、紙容器本体１の開口部２と口栓３の筒状挿入部３７とを、紙容器本体１の折り畳み部９と口栓３の板状突片３８とを、紙容器本体１の開口部２の開口端２ａとなる折り畳み部９の端部９ａと口栓３の板状突片３８の上端縁に設けられている鍔状部３９とを、紙容器本体１の開口部２の各折り畳み部９の端部９ａ間における開口端２ａと口栓３の各板状突片３８の間における筒状挿入部３７の外周に設けられている突状部４０とをそれぞれ溶着して固定する。
【００３７】
このようにして、筒壁５を折り畳んだ折り畳み部９が放射状に外方へ突出するように形成された紙容器本体１の開口部２に口栓３を備えた口栓付液体用紙容器が組み立てられる。
組み立てられた口栓付液体用紙容器にあっては、紙容器本体１における筒部４の筒壁５に設けた各三角形８ａ，８ｂの底辺７の両角部７ａ，７ｂ同士を合わせ重ねるようにして筒壁５を折り畳んでいるので、紙容器本体１が、折り畳み部９の三角形８ａ，８ｂの頂部２１から口栓３を備える開口部２方向に向かって内径が円錐状に縮径するボトル状となる。
【００３８】
図９、図１０は本発明に係る口栓付液体用紙容器の実施の形態の第２例を示し、図９は本例の口栓付液体用紙容器を示す斜視図、図１０は図９に示す紙容器本体の筒部の展開図である。
【００３９】
第２例の口栓付液体用紙容器について、第１例と同一の構成については同一の符号を付してその説明を省略し、第１例と異なる構成についてのみ説明する。
第２例の口栓付液体用紙容器と第１例との違いは紙容器本体１にあり、本例の紙容器本体１は、円筒状の筒部４と、筒部４とは別体に構成され、筒部４の下側開口部に固定される底部３２とからなる。
【００４０】
円筒状の筒部４は、図１０に示される展開構造を有する紙基材の表裏両面の最外層に熱可塑性樹脂層が積層されている矩形状のシート４１により形成される。シート４１の上端４２は、シート４１が筒部４に形成されたとき、筒部４の開口端４ａとなる。
【００４１】
シート４１には、その上端４２を底辺７とする複数の三角形８が上端４２に沿って等間隔を空けて設けられている。これらの三角形８の２本の斜辺２２ａ，２２ｂは折線により形成されている。シート４１には、三角形８の底辺７の中央を通り頂部２１に繋がる垂直線２３が折線により形成されている。
各三角形８は全て同じ形状、同じ大きさとなっており、そして、本例では二等辺三角形となっている。
【００４２】
このような展開構造を有するシート４１を用いた第２例の紙容器本体１の組み立ては、先ず、シート４１の両側縁を熱溶着して筒部４を形成し、筒部４の下側開口部に底部３２を熱溶着して固定する。
次に、各三角形８の両斜辺２２ａ，２２ｂを谷折りし、三角形８の底辺７の中央を通る垂直線２３を山折りし、底辺７の両角部７ａ，７ｂ同士を合わせ重ねるようにして折り畳み部９を形成する。
このようにして、筒壁５を折り畳んだ折り畳み部９が開口部２の周方向に間隔を空けて放射状に外方へ突出するように形成された円筒状の紙容器本体１が組み立てられる。
【００４３】
組み立てられた紙容器本体１の開口部２へ口栓３を取り付けることにより、口栓付液体用紙容器が組み立てられる。紙容器本体１の開口部２への口栓３の取り付けは、第１例と変わるところが無く、第１例の説明を援用する。
組み立てられた口栓付液体用紙容器にあっては、第１例と同様に、紙容器本体１における筒部４の筒壁５に設けた各三角形８の底辺７の両角部７ａ，７ｂ同士を合わせ重ねるようにして筒壁５を折り畳んでいるので、紙容器本体１が、折り畳み部９の三角形８の頂部２１から口栓３を備える開口部２方向に向かって内径が円錐状に縮径するボトル状となる。
【符号の説明】
【００４４】
１  紙容器本体
２  開口部
２ａ，４ａ  開口端
３  口栓
４  筒部
５  筒壁
７  底辺
７ａ，７ｂ  角部
８，８ａ，８ｂ  三角形
９  折り畳み部
９ａ  端部
１０  カートンブランクス
１１，１２，１３  筒部縦折線
１４，１５，１６，１７  筒壁パネル
１８  シール縦折線
１９  縦方向シールパネル
２０  上端
２１  頂部
２２ａ，２２ｂ  斜辺
２３  垂直線
２４，２５，２８，２９  底部横折線
２６，２７  外側底部パネル
３０，３１  内側底部パネル
３２  底部
３３  スパウト
３４  キャップ
３５，３６  ねじ部
３７  筒状挿入部
３８  板状突片
３９  鍔状部
４０  突状部
４１  シート
４２  上端
【図１】
2018070196.tif 000003
【図２】
2018070196.tif 000004
【図３】
2018070196.tif 000005
【図４】
2018070196.tif 000006
【図５】
2018070196.tif 000007
【図６】
2018070196.tif 000008
【図７】
2018070196.tif 000009
【図８】
2018070196.tif 000010
【図９】
2018070196.tif 000011
【図１０】
2018070196.tif 000012